(57)【要約】【課題】  トレンドデータを同一時間軸上で時系列的に表示する場合に、時系列の時間幅を任意に変更することが可能なトレンド表示装置を実現する。【解決手段】  データを時系列的に表示するトレンド表示装置において、  表示する時系列の時間幅を任意に変更する表示形態定義手段を備える。【選択図】                    図１
2005309937.tif 000002
【特許請求の範囲】
【請求項１】
データを時系列的に表示するトレンド表示装置において、
表示する時系列の時間幅を任意に変更する表示形態定義手段を備えたことを特徴とするトレンド表示装置。
【請求項２】
前記表示形態定義手段は、同一時間軸上で現時点から所定の過去時点までにおける前記データのトレンドを等しい時間幅で表示し、前記所定の過去時点よりも過去における前記データのトレンドを任意の時間幅で表示することを特徴とする請求項１に記載のトレンド表示装置。
【請求項３】
前記表示形態定義手段は、前記任意の時間幅を前記等しい時間幅に対して任意の関数関係を持って定義することを特徴とする請求項２に記載のトレンド表示装置。
【請求項４】
前記関数関係は、比例関係、対数関係、指数関係の少なくともいずれかであることを特徴とする請求項３に記載のトレンド表示装置。
【請求項５】
前記データは、プロセス制御システムにおける機器より通知されるデータであることを特徴とする請求項１乃至４のいずれかに記載のトレンド表示装置。
【発明の詳細な説明】
【技術分野】
【０００１】
本発明は、データを時系列的に表示するトレンド表示装置に関するものである。
【背景技術】
【０００２】
図４は従来のトレンド表示装置の基本構成を示す機能ブロック図である。１は表示制御装置、２は表示装置であり、表示制御装置１より表示データ並びに表示形態情報を取得してデータを視覚的にトレンド表示する。
【０００３】
３はデータ収集装置であり、制御システムの機器４と通信しプロセスデータＤを収集しデータベース化する。表示制御装置１はこのデータ収集装置３のデータベースよりトレンドデータを取得する。
【０００４】
従来の技術では、同一時間軸上にトレンドデータをプロットして表示する際の時間の幅は、等しい時間幅（以下、等幅と略称する）であった。図５は、リアルタイムにデータを更新する場合のトレンド表示画面例であるが、この場合は、等幅の表示である。
【０００５】
図６は、過去のデータ（ヒストリカルデータ）を圧縮表示する場合のトレンド表示画面例であるが、この場合も、時間幅を２倍、４倍等の様に等幅で圧縮する表示形態であり、同一時間軸でこの圧縮したデータと非圧縮したデータをプロットして表示するトレンド表示装置はなかった。
【０００６】
トレンド表示装置に関連する先行技術文献としては、次のようなものがある。
【０００７】
【特許文献１】特開平９−２６９３３８号公報
【発明の開示】
【発明が解決しようとする課題】
【０００８】
トレンドデータとしては、直近のデータは等幅で見たいという要求があるが、特定の時間より過去のデータについては、等幅で見たいというよりも、変化の傾向だけを見たいという要求がある。
【０００９】
ところが、従来技術では、同一時間軸でのトレンドは等幅表示のために、過去のデータを長く見たい場合には、全体のプロットを粗くしなければならず、直近のデータは詳しく、過去のデータは傾向だけを見たいという要求に対応できない問題がある。
【００１０】
従って本発明が解決しようとする課題は、トレンドデータを同一時間軸上で時系列的に表示する場合に、時系列の時間幅を任意に変更することが可能なトレンド表示装置を実現することにある。
【課題を解決するための手段】
【００１１】
このような課題を達成するために、本発明の構成は次の通りである。
（１）  データを時系列的に表示するトレンド表示装置において、
表示する時系列の時間幅を任意に変更する表示形態定義手段を備えたことを特徴とするトレンド表示装置。
【００１２】
（２）前記表示形態定義手段は、同一時間軸上で現時点から所定の過去時点までにおける前記データのトレンドを等しい時間幅で表示し、前記所定の過去時点よりも過去における前記データのトレンドを任意の時間幅で表示することを特徴とする（１）に記載のトレンド表示装置。
【００１３】
（３）前記表示形態定義手段は、前記任意の時間幅を前記等しい時間幅に対して任意の関数関係を持って定義することを特徴とする（２）に記載のトレンド表示装置。
【００１４】
（４）前記関数関係は、比例関係、対数関係、指数関係の少なくともいずれかであることを特徴とする（３）に記載のトレンド表示装置。
【００１５】
（５）前記データは、プロセス制御システムにおける機器より通知されるデータであることを特徴とする（１）乃至（４）のいずれかに記載のトレンド表示装置。
【発明の効果】
【００１６】
以上説明したことから明らかなように、本発明によれば次のような効果がある。
（１）直近のトレンドについては、等幅表示でより正確に把握でき、過去のトレンドについては、時間幅を任意に変えることで傾向を把握できる。このように、時間幅の違うトレンドを同一時間軸の画面上で表示することで、トレンド全体をより把握しやすくなる。
【００１７】
（２）例えば、リアルタイムのデータと圧縮したヒストリカルデータを同一の時間軸上に表示することで、直近のトレンドについては、等幅で正確に傾向を見ることができ、また同時に同じ画面上で、過去の長期に渡る傾向も把握することができるので、より的確にデータの傾向を把握することが可能となる。
【発明を実施するための最良の形態】
【００１８】
以下、本発明を図面により詳細に説明する。図１は本発明を適用したトレンド表示装置の一実施形態を示す機能ブロック図である。図４で説明した従来装置と同一要素には同一符号を付し、説明を省略する。以下、本発明の特徴部につき説明する。
【００１９】
図１において、１００は本発明が適用された表示制御装置、２００は本発明が適用された表示装置であり、基本機能は図４で説明した従来の表示制御装置１及び表示装置２と同一である。
【００２０】
データ収集装置３及び機器４の構成は、図４で説明した従来構成と同一であり、データ収集装置３のデータベースには、機器４より通知されるリアルタイムで更新されるデータＤを含めてのデータが保存されている。
【００２１】
３００は、本発明の特徴部を形成する表示形態定義手段であり、表示制御装置１００に対してデータベースのデータをどのような時間幅でトレンド表示するかの指令Ｓを出力する。表示制御装置１００は、この指令Ｓに基づいて同一時間軸上において表示するデータの時間幅を変更する処理を実行し、表示装置２００に表示データ並びに表示形態情報を渡す。
【００２２】
表示形態定義手段３００は、具体的には同一時間軸上で現時点から所定の過去時点までにおけるデータのトレンドを等幅で表示し、所定の過去時点よりも過去におけるデータのトレンドを任意の時間幅で表示する指令Ｓを表示制御手段１００に出力する。
【００２３】
更に、表示形態定義手段３００は、上記任意の時間幅を等幅に対して任意の関数関係を持って定義することができる。この場合の関数関係は、比例関係、対数関係、指数関係等をインターフェース画面から設定することが可能である。
【００２４】
図示した定義内容は、比例関係の定義例であり、等幅の領域として、ｘｘｘ時間分までは等幅：ｘ倍として表示し、ｘｘｘ時間以前のデータについては、圧縮（比例：等幅のｘ倍）というような表示形態の定義をインターフェース画面より設定することができる。
【００２５】
図２は、本発明を適用したトレンド表示装置の代表的な表示画面例であり、現時点から所定の過去時点Ｔまでにおけるデータのトレンドを等幅で表示する等幅表示領域Ａと、所定の過去時点Ｔよりも過去におけるデータのトレンドを任意の時間幅（通常は等幅より圧縮された時間幅）で表示する任意幅表示領域Ｂよりなる。
【００２６】
この場合の、等幅、所定の過去時点Ｔ、任意の時間幅の表示形態情報は、表示形態定義手段３００のインターフェース画面で指定する形となる。尚、定義情報として任意幅表示領域Ｂが０であっても構わない。この場合は従来装置と同じ表示形態となる。
【００２７】
図３は、表示形態の指令をトレンド表示している画面上から指令可能な表示画面例であり、表示形態定義手段３００のインターフェース画面と表示装置２００のトレンド表示画面とを合体させて使い勝手を向上させたものである。
【００２８】
指定の手順は、例えばマウスで領域を指定し、その領域に対して等幅なのか、圧縮なのか等の定義を同一画面で入力する。事例では、領域Ｒ１に対しては等幅を指定し、領域Ｒ２に対しては圧縮幅を指定している。この２つの指定で、圧縮部分と等幅部分の同時表示が可能となる。
【００２９】
以上説明した実施形態では、トレンド表示対象のデータとしてプロセス制御システムにおける機器より通知されるデータを例示したが、本発明は、各種のトレンド（統計指標・経済動向・株価の動向・統計指標・プロセスの監視）等、データの変化傾向を見ながら情報を解析する分野すべてにわたる表示に適用することが可能である。
【図面の簡単な説明】
【００３０】
【図１】本発明を適用したトレンド表示装置の一実施形態を示す機能ブロック図である。
【図２】本発明を適用したトレンド表示装置の代表的な表示画面例である。
【図３】表示形態の指令をトレンド表示している画面上から指令可能な表示画面例である。
【図４】従来のトレンド表示装置の基本構成を示す機能ブロック図である。
【図５】リアルタイムにデータを更新する場合のトレンド表示画面例である。
【図６】過去のデータを圧縮表示する場合のトレンド表示画面例である。
【符号の説明】
【００３１】
３  データ収集装置
４  機器
１００  表示制御装置
２００  表示装置
３００  表示形態定義手段
【図１】
2005309937.tif 000003
【図２】
2005309937.tif 000004
【図３】
2005309937.tif 000005
【図４】
2005309937.tif 000006
【図５】
2005309937.tif 000007
【図６】
2005309937.tif 000008